(57)【特許請求の範囲】
【請求項１】
一側の下部に搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面に多数のスクリュー螺旋が形成されたスクリューと、調節キャップ付きハウジング蓋体と、を備える搾汁機において、
前記排出網の内面に残渣の排出方向に長い係止溝を形成し、前記スクリュー螺旋が前記排出網の内面に密着して回転することを特徴とする搾汁機。
【発明の詳細な説明】
【技術分野】
【０００１】
本発明は、野菜・果物から汁を搾ることのできる搾汁機に関する。
【背景技術】
【０００２】
昨今は凄まじい健康ブームで、多くの人々が新鮮な野菜を用いて自ら青汁を搾ったり果汁を搾ったりしており、一般家庭でも簡単に青汁や果汁を搾ることのできる搾汁機が多く販売されている。
【０００３】
搾汁機の例としては、本出願人によって出願されて特許として登録されたものがある（例えば、下記の特許文献１参照）。図１は、従来の技術による搾汁機の構造を示す断面図である。図１に示すように、従来の技術による搾汁機１は、長尺なスクリュー３０が網ドラム４０とともにハウジング１０に水平に組み付けられて駆動部の側面に回転軸３１により係合されており、投入口２１に青汁の材料を投入すれば、水平に徐々に移送されながら搾汁が行われるようになっている。
【０００４】
しかしながら、例えば、下記の特許文献１に記載の搾汁機においては、網ドラムの下部の排出網４２が平滑に形成されていた。排出網４２においては、汁の絞り取られた残渣がスクリュー螺旋と排出網４２との間でかなりの圧力で押し付けられる。このため、一部の残渣がスクリュー螺旋３３と一体になって平滑な排出網の側壁の周りを回転するだけで、排出方向に移送されなくなることが頻発して搾汁がスムーズに行われないという問題点があった。
【先行技術文献】
【特許文献】
【０００５】
【特許文献１】韓国特許登録第６０９３９０号公報
【発明の概要】
【発明が解決しようとする課題】
【０００６】
本発明は、上述した問題点を解消するために案出されたものであり、その目的は、残渣がスクリュー螺旋の回転に応じて排出方向に排出され易い搾汁機を提供することにある。
【課題を解決するための手段】
【０００７】
本発明においては、一側の下部に搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面に多数のスクリュー螺旋が形成されたスクリューと、調節キャップ付きハウジング蓋体と、を備える搾汁機において、前記排出網の内面に残渣の排出方向に長い係止溝を形成することを特徴とする。
【０００８】
また、本発明においては、前記スクリュー螺旋が前記排出網の内面に密着して回転することが好ましい。
【発明の効果】
【０００９】
本発明においては、一側の下部には搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面に多数のスクリュー螺旋が形成されたスクリューと、調節キャップ付きハウジング蓋体と、を備える搾汁機において、前記排出網の内面に残渣の排出方向に長い係止溝を形成することにより、残渣がスクリュー螺旋の回転に応じて排出方向に排出され易くなる。
【００１０】
また、本発明においては、前記スクリュー螺旋が前記排出網の内面に密着して回転することにより、スクリュー螺旋が排出網の内面の残渣を掃き出すとともに、前記係止溝によって残渣がスクリュー螺旋と一体になって回転だけすることを防止し、排出方向への移送を促すことにより、残渣がスクリュー螺旋の回転に応じて排出方向に排出され易くなる。
【図面の簡単な説明】
【００１１】
【図１】従来の技術による搾汁機の構成を示す断面図である。
【図２】本発明に係る搾汁機の構成を示す分解斜視図である。
【図３】図３Ａは、本発明に係る搾汁機の構成を示す断面図であり、図３Ｂは、本発明に係る搾汁機における軟質弾性体を押し付けた状態を示す断面図である。
【図４】図２におけるＡ−Ａ線に沿った断面図である。
【発明を実施するための形態】
【００１２】
以下、添付図面に基づき、本発明の好適な実施形態に係る搾汁機について詳述する。なお、本明細書および請求範囲に用いられた用語や単語は、通常的または辞書的な意味に限定して解釈されてはならず、発明者は、自分の発明を最も最良の方法により説明するために用語の概念を適法的に定義することができるという原則を踏まえて、本発明の技術的思想に当てはまる意味および概念として解釈されるべきである。
【００１３】
したがって、本明細書に記載の実施形態及び図示の構成は本発明の最良の実施形態に過ぎず、本発明の技術的思想全てを代弁するものではないため、本出願時点においてこれらに代えうる種々の均等物及び変形例がありうるということが理解されるべきである。
【００１４】
図２及び図３に示すように、本発明においては、一側の下部に搾り汁を排出する排出口が形成され、内部空間が形成されたハウジングと、前記内部空間に嵌入され、粉砕部及び排出網が形成された網ドラムと、前記網ドラムの内部に嵌入されて回転棒を中心として水平に回転し、前記回転棒の外面に多数のスクリュー螺旋が形成されたスクリューと、調節キャップ付きハウジング蓋体と、を備える搾汁機において、前記排出網の内面に残渣の排出方向に長い係止溝を形成する。
【００１５】
また、本発明においては、前記スクリュー螺旋が前記排出網の内面に密着して回転する。
【００１６】
図２は、搾汁機の構成を示す分解斜視図である。同図に示すように、本発明に係る搾汁機は、ハウジング１００と、スクリュー３００と、網ドラム４００と、ハウジング蓋体５００及び調節キャップ８００を備える。
【００１７】
ハウジング１００は、一側の上部にホッパー１２５と連通した投入管２００が形成され、一側の下部に、搾り汁を排出する排出口１３０が形成され、内部に内部空間１９０が形成される。前記内部空間１９０は、円筒状（シリンダー）を呈し、左・右側が開放されていることが好ましい。また、前記ハウジング１００において、前記内部空間１９０の左側にハウジング蓋体５００と係合する係合爪１４０が形成され、投入管２００の上部には材料を投入する投入口１２０が形成される。
【００１８】
スクリュー３００は、ハウジング１００の右側に突き出て外部のモータ（図示せず）などの駆動装置によって駆動力を受け取る回転軸３１０と、この回転軸３１０に一体に形成される回転棒３２０と、を備え、ハウジングの内部空間１９０に回転棒３２０を中心として回転自在に水平に嵌入され、回転棒３２０の外面には多数のスクリュー螺旋３３０が形成されて材料を移送・粉砕する機能を行う。
【００１９】
網ドラム４００は、粉砕部４１０及び排出網４２０を備え、ハウジング１００の内部空間に水平に嵌入する。粉砕部４１０は、中空の円錐状を呈し、スクリュー３００の周りを囲繞するように設けられてスクリュー３００によって前方（左側）に移送された材料が粉砕されるように誘導する。粉砕部４１０内においてスクリュー３００によって材料が粉砕されて得られた搾り汁は、粉砕部４１０の後方に設けられたろ過網４８０を通じて搾り汁排出口１３０に排出される。排出網４２０は、粉砕部４１０から前方（左側）に延設されてスクリュー先端３５０の外側面と接して材料を排出する。
【００２０】
前記排出網４２０には、排出網の内面に残渣の排出方向に長い係止溝を形成する。好ましくは、前記スクリュー螺旋３３０が前記排出網の内壁に密着して回転するように形成する。
【００２１】
網ドラム４００の左側面には、側面リング４４０が形成される。側面リング４４０には、軟質弾性体リング９００の一方の面を支持する嵌合溝４５０が形成される。
【００２２】
ハウジング蓋体５００には中心に通孔が形成され、ハウジング蓋体５００の一側にはハウジング係合爪１４０と係合する係合突起５２０が形成され、他側には調節キャップ８００に嵌合されるフランジ５３０が形成され、前記フランジ５３０の外周面にテーパー状の突起５１０が形成される。
【００２３】
調節キャップ８００には中心に通孔が形成された円筒状の遮断部８５０が形成され、前記円筒状の遮断部８５０の外部には前記フランジ５３０が嵌合する溝部８３０が形成され、溝部の一側の内面には前記テーパー状の突起５１０と係合する傾斜面が形成された傾斜面突起部８２０が形成される。前記傾斜面突起部８２０は、調節キャップ８００の回転に応じて、図３Ａ及び図３Ｂに示すように、テーパー状の突起５１０によって調節キャップ８００を左右動できるように円周方向に傾斜が形成される。
【００２４】
好ましくは、前記調節キャップは、円筒状の遮断部８５０と溝部８３０とが一体に形成される。
【００２５】
前記軟質弾性体９００は、リング状を呈し、前記網ドラムの先端に形成された網ドラムの側面リング４４０によって支持され、好ましくは、側面リング４４０に形成された嵌合溝４５０に嵌まり込むことにより、前記軟質弾性体は常に一定の位置に取り付けられる。
【００２６】
本発明の搾汁機の動作について説明すれば、下記の通りである。
【００２７】
搾汁機１００の投入管２００の投入口１２０に材料が投入されれば、材料は、ハウジング１００の内部においてスクリュー３００によってハウジング１００の左側に向かって移送される。また、移送された材料がスクリュー３００と粉砕部４１０との間で粉砕され、このときに得られる搾り汁は、粉砕部４１０の後方に設けられたろ過網４８０を介して搾り汁排出口１３０に排出される。
【００２８】
粉砕部４１０を通過した材料は、スクリュー３００の回転によって前方に移送され続け、排出網４２０においてスクリュー３００によって排出される。
【００２９】
ハウジング蓋体５００の前方に回転自在に係合する調節キャップ８００を回すと、ハウジング蓋体５００のテーパー状の突起５１０とこれに係合する調節キャップ８００の傾斜面突起部８２０のそれぞれに形成された傾斜の作用によって調節キャップ８１がハウジング蓋体５００に対して前後方向に移動して軟質弾性体リング９００が押し付けられるため、円筒状の遮断部８５０がスクリュー先端３５０を押し付ける力も変わって押出力が変わる。
【００３０】
すなわち、ユーザーは、材料の種類に応じて調節キャップ８００を回して、搾汁機１００の押出力を微細に調節することができる。
【００３１】
上述したように動作するスクリュー３００によって搾汁機１００の前方に移送されながら搾汁された材料は、円筒状の遮断部８５０を通過した後に搾汁機１００の前方の下方に排出される。
【００３２】
上記の作動過程において、スクリュー螺旋３３０が排出網４２０の内面に密着回転して、残渣は前記スクリュー螺旋３３０の回転に応じて前記係止溝４３０に引っ掛かってスクリューの回転方向に移送されるとともに排出方向に排出されるため、前記係止溝４３０は、残渣がスクリュー螺旋３３０と一体になって回転だけすることを防止し、排出方向への排出を促して残渣の移送がスムーズに行われる。
【００３３】
また、本発明においては、前記スクリュー螺旋３３０が前記排出網の内面に密着回転して内面の残渣を掃き出すとともに、スクリュー螺旋が密着される前記排出網の一部に前記係止溝が形成されることにより、前記係止溝によって残渣がスクリュー螺旋と一体になって回転だけすることを防止し、排出方向への移送を促すことにより、残渣がスクリュー螺旋の回転に応じて排出方向に排出され易くなる。
【００３４】
以上、本発明は限定された実施形態及び図面によって説明されたが、本発明はこれに何ら限定されるものではなく、本発明が属する技術分野において通常の知識を有する者によって本発明の技術思想と後述する特許請求の範囲の均等範囲内において種々に修正及び変形可能であるということはいうまでもない。
【符号の説明】
【００３５】
１００  ハウジング    
１２０  投入口
１２５  ホッパー
１２６  投入口側突条
１３０  排出口
１４０  係合爪
１９０  内部空間
２００  投入管
３００  スクリュー
３１０  回転軸
３２０  回転棒
３３０  スクリュー螺旋
３５０  スクリュー先端
４００  網ドラム
４１０  粉砕部
４２０  排出網
４３０  係止爪
４４０  側面リング
４５０  嵌合溝
５００  ハウジング蓋体
５１０  テーパー状の突起
５２０  係合突起
５３０  フランジ
８００  調節キャップ
８５０  円筒状の遮断部
９００  軟質弾性体
【図２】
0005826923.tif 000002
【図１】
0005826923.tif 000003
【図３Ａ】
0005826923.tif 000004
【図３Ｂ】
0005826923.tif 000005
【図４】
0005826923.tif 000006